(57)【要約】【課題】所定の技能を有する作業者でなければ行うことができなかった点を解決することで、一般の技能を有した作業者であれば配線作業をすることを可能とし、被覆を剥がす作業にばらつきが発生する点を解決することで、被覆を剥がす作業のばらつきを抑えることを可能にし、工期が延びる点を解決することで、屋内配線の工期の短縮を図ることを可能とする。【解決手段】天井２４に取付ける照明器具本体５１と、この照明器具本体５１に設けることで雄コネクタ４５を介して屋内配線３５を接続する雌コネクタ５７と、を備えた。【選択図】図２
0003125998.tif 000002
【実用新案登録請求の範囲】
【請求項１】
天井若しくは壁に取付ける照明器具本体と、この照明器具本体に設けることで雄コネクタを介して屋内配線を接続する雌コネクタと、を備えた屋内用照明装置。
【請求項２】
前記雌コネクタは、前記照明器具本体に別の屋内用照明装置を接続可能な分岐用ソケットを備えたことを特徴とする請求項１記載の屋内用照明装置。
【請求項３】
前記雌コネクタは、前記照明器具本体内に収納したものであることを特徴とする請求項１記載の屋内用照明装置。
【請求項４】
前記照明器具本体に安定器を備え、この安定器の近傍に前記雌コネクタを設けたことを特徴とする請求項１記載の屋内用照明装置。
【請求項５】
前記照明器具本体からブラケットを延出し、このブラケットに前記雌コネクタを取付けたことを特徴とする請求項１記載の屋内用照明装置。
【考案の詳細な説明】
【技術分野】
【０００１】
本考案は、屋内の天井や壁などに取付ける屋内用照明装置に関する。
【背景技術】
【０００２】
屋内用照明装置として、天井に取付けられ天井裏を引回した屋内配線を屋内用照明装置に接続するものが実用に供されている。
実用の屋内用照明装置は、所定の機械的強度を保ちつつ所定の電気抵抗を下回るように接続すれば実用上十分であった。
【０００３】
このような屋内用照明装置として、天井裏を引回した配線の被覆を剥がして屋内用照明装置に直接接続するものが知られている（例えば、特許文献１参照。）。
【特許文献１】特開２００２−１５７９１２公報（第４頁、図１）
【０００４】
特許文献１の技術を説明する。
図１２は従来の基本構成を説明する図である。
屋内用照明装置２００は、天井２０１に開けた開口２０２と、天井２０１を引回して開口２０２から臨ます屋内配線２０３と、天井２０１に取付けるとともに屋内配線２０３を接続する照明器具本体２０４と、この照明器具本体２０４に被せる反射板２０５と、照明器具本体２０４のソケット２０６に取付ける電球２０７と、照明器具本体２０４に反射板２０５を止めるナット２０９と、からなる。
【０００５】
しかし、屋内用照明装置２００では、屋内配線２０３を接続する際に現場で、屋内配線２０３の先端の被覆２１１，２１２，２１３を剥がして銅線２０８，２０８を照明器具本体２０４に接続する作業が発生する。この配線作業は、所定の技能を有する作業者でなければ行うことができなかった。
また、屋内配線２０３の先端の被覆２１１，２１２，２１３を剥がす作業は手作業で行うため、銅線２０８，２０８を露出する長さばらつきが発生することがあった。
さらに、屋内配線２０３の先端の被覆２１１，２１２，２１３を剥がす作業を現場で行うので、屋内配線の工期が延びる場合もあった。
【０００６】
そこで、一般の技能を有した作業者であれば配線作業をすることができ、この配線作業のばらつきを抑えることができ、且つ屋内配線の工期の短縮を図ることができる屋内用照明装置が望まれる。
【考案の開示】
【考案が解決しようとする課題】
【０００７】
本考案は、所定の技能を有する作業者でなければ行うことができなかった点を解決し、一般の技能を有した作業者であれば配線作業をすることができるとともに、被覆を剥がす作業にばらつきが発生する点を解決し、被覆を剥がす作業のばらつきを抑えることができき、さらに、工期が延びる点を解決し、屋内配線の工期の短縮を図ることができる屋内用照明装置を提供することを課題とする。
【課題を解決するための手段】
【０００８】
請求項１に係る屋内用照明装置の考案は、天井若しくは壁に取付ける照明器具本体と、この照明器具本体に設けることで雄コネクタを介して屋内配線を接続する雌コネクタと、を備えたものである。
【０００９】
請求項２に係る考案は、雌コネクタが、照明器具本体に別の屋内用照明装置を接続可能な分岐用ソケットを備えたことを特徴とする。
【００１０】
請求項３に係る考案は、雌コネクタを、照明器具本体内に収納したものであることを特徴とする。
【００１１】
請求項４に係る考案は、照明器具本体に安定器を備え、この安定器の近傍に雌コネクタを設けたことを特徴とする。
【００１２】
請求項５に係る考案は、照明器具本体からブラケットを延出し、このブラケットに雌コネクタを取付けたことを特徴とする。
【考案の効果】
【００１３】
請求項１に係る考案では、照明器具本体に設けることで雄コネクタを介して屋内配線を接続する雌コネクタを備えたので、屋内配線は雄コネクタを工場などで前加工しておくことができる。これにより、現場での配線作業の作業性の向上を図ることができる。この結果、工期の短縮を図ることができるという利点がある。
【００１４】
請求項２に係る考案では、雌コネクタに、記照明器具本体に別の屋内用照明装置を接続可能な分岐用ソケットを備えたので、照明器具本体から別の屋内用照明装置を分岐させることができる。この結果、屋内配線工事の利便性の向上を図ることができるという利点がある。
【００１５】
請求項３に係る考案では、雌コネクタを照明器具本体内に収納したので、照明器具本体をコンパクトに構成することができる。この結果、照明器具本体を配置しやすくすることができるという利点がある。
【００１６】
請求項４に係る考案では、安定器を備えた照明器具本体では先ず安定器に給電することが一般的であり、例えば、安定器の近傍に雌コネクタを設けたので、屋内配線を安定器に最短で接続することができる。この結果、照明器具本体をシンプルに構成することができるという利点がある。
【００１７】
請求項５に係る考案では、照明器具本体からブラケットを延出し、このブラケットに雌コネクタを取付けたので、任意の位置に前記雌コネクタを設けることができる。この結果、屋内用照明装置の設計の自由度の向上を図ることができるという利点がある。
【考案を実施するための最良の形態】
【００１８】
本考案を実施するための最良の形態を添付図に基づいて以下に説明する。なお、図面は符号の向きに見るものとする。
図１は本考案に係る第１実施形態の屋内用照明装置のシステム図である。
屋内配線システム１０は、複数の機器やコンセント（不図示）に電気を供給する配電盤（分電盤）２０と、この配電盤２０から延出した配電盤側屋内配線２１と、この配電盤側屋内配線２１の先端を接続する配線端子ユニット２２と、この配線端子ユニット２２から延出した第１の屋内配線３５と、この第１の屋内配線３５の先端に接続する第１の屋内用照明装置３０と、この第１の屋内用照明装置３０から延出した第２の屋内配線３６と、この第２の屋内配線３６の先端に接続する第２の屋内用照明装置（別の屋内用照明装置）３２と、この第２の屋内用照明装置３２から延出した第３の屋内配線３７と、この第３の屋内配線３７の先端に接続する第３の屋内用照明装置（別の屋内用照明装置）３３と、この第３の屋内用照明装置３３から延出する第４の屋内配線３８と、配電盤２０から地中にアースするアース線３９と、からなる。
【００１９】
第１〜第３の屋内用照明装置３０，３２，３３は、同一構造の照明装置である。
第１の屋内配線３５は、単相交流及びアースに対応した配線であり、ケーブル４１の第１の屋内用照明装置３０側に雄コネクタ４５を取付けたものである。
第２〜第４の屋内配線３６〜３８は、単相交流及びアースに対応した配線であり、それぞれケーブル４２〜４４の両端に雄コネクタ４５，４５を取付けたものである。なお、第４の屋内配線３８の一方の雄コネクタ４５は省略する。また、ケーブル４２〜４４の長さは異なるものである。
【００２０】
図２は本考案に係る第１実施形態の屋内用照明装置の分解斜視図であり、図３は図２に示された屋内用照明装置の平面図であり、図４は図２に示された屋内用照明装置の側面図である。
図２〜図４において、第１の屋内用照明装置３０（以下、「屋内用照明装置３０」と記載する）は、天井２４に取付ける照明器具本体５１と、この照明器具本体５１に着脱自在に取付ける反射板５２と、この反射板５２を照明器具本体５１に止める止めねじ５３，５３と、照明器具本体５１のソケット６３，６３に接続する蛍光管５４と、からなる。
【００２１】
照明器具本体５１は、天井２４に取付ける基台５６と、この基台５６に取付ける雌コネクタ５７と、雌コネクタ５７からのハーネス５８を接続する中継端子板５９と、この中継端子板５９に接続する安定器６１と、この安定器６１から延出したハーネス６２，６２を接続するソケット６３，６３と、からなる。
【００２２】
基台５６は、雌コネクタ５７、中継端子板５９及び安定器６１を支持するベース板６５と、このベース板６５に設けられソケット６３，６３を支持するソケットステー６６，６６と、からなる。ベース板６５は、雄コネクタ４５を天井２４側から貫通させる貫通孔６７を備える。ソケットステー６６は、止めねじ５３をねじ込むねじ孔６８を備える。
反射板５２は、ソケット６３，６３を貫通させるソケット孔７１，７１と、止めねじ５３，５３を挿入する挿入孔７２，７２と、を備える。
【００２３】
すなわち、屋内用照明装置３０は、雌コネクタ５７を照明器具本体５１内に収納したので、照明器具本体５１をコンパクトに構成することができる。この結果、照明器具本体５１を配置しやすくすることができる。
【００２４】
また、安定器を備えた照明器具本体では先ず安定器に給電することが一般的であり、例えば、屋内用照明装置３０は、安定器６１の近傍に雌コネクタ５７を設けたので、屋内配線３５を安定器６１に最短で接続することができる。この結果、照明器具本体５１をシンプルに構成することができる。
【００２５】
図５は図２に示された屋内用照明装置の雄コネクタ及び雌コネクタの斜視図である。
雄コネクタ４５は、単相交流及びアースに対応したコネクタであり、第１の屋内配線３５（以下、「屋内配線３５」と略記する）を接続する雄側端子部７３と、雄コネクタ４５を雌コネクタ５７に電気的に接続する雄側接続部７４と、雄コネクタ４５を雌コネクタ５７に係止する係止部７５と、を備える。
【００２６】
雌コネクタ５７は、単相交流及びアースに対応したコネクタであり、ハウジング１０１と、このハウジング１０１に形成されハーネス５８を接続する雌側端子部７６ａ〜７６ｃと、ハウジング１０１に形成され雄コネクタ４５の雄側接続部７４を電気的に接続する第１・第２の雌側接続部７７，７８と、ハウジング１０１に形成され雄コネクタ４５，４５（一個のみ示す）の係止部７５，７５が係止される係止爪７９，７９と、からなる。
【００２７】
図６は図５の６矢視図である。図７は図５の７−７線断面図である。図８は図５の８−８線断面図である。
図６〜図８に示すように。雌側接続部７７は、単相交流を接続する第１・第２の接続端子１０３，１０４と、アースに接続する第３の接続端子１０５と、からなる。同様に、雌側接続部７８は、単相交流を接続する第１・第２の接続端子１１３，１１４と、アースに接続する第３の接続端子１１５と、からなる。
【００２８】
雌側接続部７７，７８の第１の接続端子１０３，１１３は、一体的に形成された端子であり、雌側端子部７６ａからハーネス５８の単線５８ａが接続される。
第２の接続端子１０４，１１４は一体的に形成された端子であり、雌側端子部７６ｂからハーネス５８の単線５８ｂが接続される。
【００２９】
第３の接続端子１０５，１１５は、一体的に形成されたアース端子であり、雌側端子部７６ｃからハーネス５８の単線５８ｃが接続される。また、第３の接続端子１０５，１１５は、一体的に形成された変形可能なアース突起１０６を備える。
【００３０】
アース突起１０６は、雌コネクタ５７を照明装置側の金属ボディ１０７に取付ねじ１０８で取付けることで、照明装置側の金属ボディ１０７の被覆を剥がすとともに変形し、照明装置側の金属ボディ１０７をアース接続する。
従って、図１に示す第１の屋内用照明装置３０は、第１の屋内配線３５、配電盤側屋内配線２１及び配電盤１０のアース線３９を経由して地中にアースされる。なお、第２・第３の屋内用照明装置３２，３３も同様にアースされている。
【００３１】
図２及び図５に示すように、屋内用照明装置３０は、天井２４に取付ける照明器具本体５１と、この照明器具本体５１に設けることで雄コネクタ４５を介して屋内配線３５を接続する雌コネクタ５７と、を備えたものと言える。
すなわち、屋内用照明装置３０は、照明器具本体５１に設けることで雄コネクタ４５を介して屋内配線３５を接続する雌コネクタ５７を備えたので、屋内配線３５は、ケーブル４１に雄コネクタ４５を工場などで前加工しておくことができる。これにより、現場での配線作業の作業性の向上を図ることができる。この結果、工期の短縮を図ることができる。
【００３２】
また、第１・第２の雌側接続部７７，７８は、雄側コネク４５を接続できる互換性のある接続部である。従って、図１に示したように、屋内用照明装置３０（照明器具本体５１）から第２の屋内用照明装置（別の屋内用照明装置）３６を分岐することができる。第１の雌側接続部７７に屋内配線３５を接続するときに、第２の雌側接続部７８は、分岐用ソケットの役目をなす。
【００３３】
すなわち、屋内用照明装置３０は、雌コネクタ５７に、照明器具本体５１に別の屋内照明装置（第２の屋内照明装置）３２を接続可能な分岐用ソケット（第２の雌側接続部）７８を備えたので、照明器具本体５１から別の屋内用照明装置３２を分岐させることができる。この結果、屋内配線工事の利便性の向上を図ることができる。
【００３４】
図９は本考案に係る第２実施形態の屋内用照明装置の斜視図であり、図１０は図９に示された屋内用照明装置の平面図であり、図１１は図９に示された屋内用照明装置の側面図である。なお、屋内用照明装置３０（図２参照）に使用した部品と同一部品は同一符号を用いて詳細な説明は省略する。
【００３５】
図９〜図１１において、屋内用照明装置８０は、天井２４（図２参照）に取付ける照明器具本体８１と、この照明器具本体８１から延出したブラケット８２と、このブラケット８２に取付ける雌コネクタ５７と、この雌コネクタ５７を覆うカバー８３と、からなる。
【００３６】
照明器具本体８１は、ベース金具８５と、このベース金具８５に取付ける中継端子板８６と、この中継端子板８６に接続する安定器８７と、この安定器８７に接続するソケット８８と。このソケット８８に接続する蛍光管８９と、この蛍光管８９の廻りを覆う反射板９１と、この反射板９１に取付けることで天井２４（図２参照）側に支持させる複数の支持ステー９２と、からなる。
【００３７】
ベース金具８５は、ブラケット８２、中継端子板８６、安定器８７、ソケット８８及び反射板９１を支持する金具である。支持ステー９２は、弾性変形可能な部材である。
また、ブラケット８２は、ベース金具８５に取付ねじ９３で取付けられ、カバー８３は、ブラケット８２に取付ねじ９４，９４で取付けられる。
【００３８】
屋内用照明装置８０は、照明器具本体８１からブラケット８２を延出し、このブラケット８２に雌コネクタ５７を取付けたので、任意の位置に雌コネクタ５７を設けることができる。この結果、屋内用照明装置８０の設計の自由度の向上を図ることができる。
【００３９】
尚、本考案に係る屋内用照明装置は、図２に示すように、照明器具本体５１を天井２４に取付けたが、これに限るものではなく、照明器具本体を壁に取付けるものであってもよい。
【００４０】
本考案に係る屋内用照明装置は、図２に示すように、照明器具本体５１の基台５６に雌コネクタ５７を取付けたが、これに限るものではなく、屋内配線や照明器具本体側のハーネスに支持させるものであってもよい。
【００４１】
本考案に係る屋内用照明装置は、図２及び図９に示すように、蛍光管５４，８９を点灯する屋内用照明装置であったが、これに限るものではなく、電球を点灯する屋内用照明装置であってもよい。
【産業上の利用可能性】
【００４２】
本考案に係る屋内用照明装置は、コンビニエンスストアなどの店舗の照明や展示会のブースの照明などに好適である。
【図面の簡単な説明】
【００４３】
【図１】本考案に係る第１実施形態の屋内用照明装置のシステム図である。
【図２】本考案に係る第１実施形態の屋内用照明装置の分解斜視図である。
【図３】図２に示された屋内用照明装置の平面図である。
【図４】図２に示された屋内用照明装置の側面図である。
【図５】図２に示された屋内用照明装置の雄コネクタ及び雌コネクタの斜視図である。
【図６】図５の６矢視図である。
【図７】図５の７−７線断面図である。
【図８】図５の８−８線断面図である。
【図９】本考案に係る第２実施形態の屋内用照明装置の斜視図である。
【図１０】図９に示された屋内用照明装置の平面図である。
【図１１】図９に示された屋内用照明装置の側面図である。
【図１２】従来の基本構成を説明する図である。
【符号の説明】
【００４４】
３０…屋内用照明装置（第１の屋内用照明装置）、３５…屋内配線（第１の屋内配線）、４５…雄コネクタ、５１…照明器具本体、５７…雌コネクタ、６１…安定器、７８…分岐用ソケット（第２の雌側接続部）、８０…屋内用照明装置、８１…照明器具本体、８２…ブラケット。
【図１】
0003125998.tif 000003
【図２】
0003125998.tif 000004
【図３】
0003125998.tif 000005
【図４】
0003125998.tif 000006
【図５】
0003125998.tif 000007
【図６】
0003125998.tif 000008
【図７】
0003125998.tif 000009
【図８】
0003125998.tif 000010
【図９】
0003125998.tif 000011
【図１０】
0003125998.tif 000012
【図１１】
0003125998.tif 000013
【図１２】
0003125998.tif 000014